【事件の表示】
　平成　８年特許願第２７１１９４号「弱い強さの輪郭生成および色移動の、ディザによる減少」拒絶査定不服審判事件〔平成　９年　７月１５日出願公開、特開平　９−１８５７０７〕について、次のとおり審決する。
【結　論】
　本件審判の請求は，成り立たない。
【理　由】
第１　手続きの経緯・本願発明
　本願は，平成８年１０月１４日（パリ条約による優先権主張１９９５年１０月１３日，アメリカ合衆国）の出願であって，平成１９年３月２日付けで拒絶査定がされ，これに対して同年５月２５日に拒絶査定不服審判が請求されたものである。
　本願の特許請求の範囲の請求項に係る発明は，平成１９年１月３０日付け手続補正書により補正された明細書及び図面に記載する発明として，その特許請求の範囲の請求項１ないし２に記載されたものと認められるところ，その請求項２に記載された発明（以下，「本願発明」という。）は，次のとおりのものである。
　
「【請求項２】　表示装置であって，
　雑音信号を発生させる少なくとも１個の雑音発生器，
　１つ以上のディジタル入力像クロミナンス信号に前記雑音信号を加え，前記入力像信号内の色輪郭の生成を減少させる加算器，
　前記加えられた雑音信号を有する前記入力像クロミナンス信号を複数のディジタル色要素信号に変換する色空間変換回路
　を備える表示装置。」
　
第２　引用例
　原査定の拒絶の理由で周知技術として引用された特開平３−２９１６９１号公報（以下，「引用例１」という。）には，図面とともに以下の事項が記載されている（記載箇所は頁数，行数等で表示）。
　
　ア　「本発明の表示装置の駆動方法は，表示データの最下位ビットにランダムに１を加算あるいは減算し，その結果を表示データとしてディスプレイに表示させることを特徴とする。」（第１頁右下欄第１行ないし第１３行）
　
　イ　「（実施例１）
　第１図は，本発明に於ける，パーソナルコンピュータからの表示データを補正して液晶ディスプレイに表示するまでを示すブロック図である。第１図のコンピュータ１０１から出力される表示データ１０６とランダムノイズ発生回路１０３で発生したランダムノイズデータ１０９とをデータ合成回路１０２で合成する。このデータ合成の方法は，第２図（ａ）の１０６で示す表示データＤ0，Ｄ1，Ｄ2，Ｄ3（Ｄ0が最下位ビットでＤ1，Ｄ2と上位ビットになりＤ３が最上位ビットである。）とランダムノイズデータ１０９を加算器２０１で最下位ビットに加算することによって補正データ１０７をつくっている。上記のランダムノイズデータ１０９は，表示データ１０８に同期してランダムにハイ，ローを繰り返すパルス波形である。尚，第２図（ａ）の加算器は，表示データ１０６が１１１１の時に１を加算しても１１１１となるものとする。このデータ合成回路部分の波形の一例を示すタイミングチャートを第３図に示す。そして，補正データ１０７をディスプレイコントロール回路１０４に転送し，このディスプレイコントロール回路１０４によって液晶ディスプレイ１０５の各ドライバＩＣに各コントロール信号及び表示データを転送することによってコンピュータからのデータを表示させる。」（第１頁右下欄第１８行ないし第２頁右上欄第４行）
　
　ウ　「［発明の効果］
　以上述べたように本発明によれば，表示データをデジタル的に処理して階調表示している場合に疑似輪郭の発生を抑えられなめらかでより自然な表示ができる。そして，特にラップトップコンピュータなどに使われている単純マトリクスのマルチプレクス駆動の液晶ディスプレイのように原理的にアナログデータによる表示ができないもので階調数もあまり取れないディスプレイに対して特に有効である。」（第２頁右下欄第５行ないし第１４行）
　
　前掲アないしウの記載及び第１図，第２図（ａ），第２図（ｂ）によると，引用例１には，
　
「表示装置であって，
　表示データをデジタル的に処理して階調表示している場合に擬似輪郭の発生を抑えられなめらかでより自然な表示ができるように，
　コンピュータから出力される表示データＤ0，Ｄ1，Ｄ2，Ｄ3とランダムノイズ発生回路で発生したランダムノイズデータを加算器で最下位ビットに加算することによって補正データをつくり，
　前記補正データをディスプレイコントロール回路に転送し，データを表示させる
　表示装置。」
　
の発明（以下，「引用発明」という。）が記載されていると認められる。
　
　同じく，原査定の拒絶の理由で引用された実願昭６３−１２５５１６号（実開平２−４７６８９号）のマイクロフィルム（以下，「引用例２」という。）には次の事項が図面と共に開示されている（記載箇所は頁数，行数等で表示）。
　
　エ　「しかし，最近では液晶表示パネルの高品質化によりコントラスト比が益々良くなり，今までの量子化ビット数では不足するようになってきている。量子化ビット数が不足した場合は表示パネルに偽輪郭と呼ばれる等高線のような線がはっきりと現れ，著しく画質が劣化する。これは画面上での明るさが緩やかに変化したとき量子化ビット数がその変化に対する階調がないために生ずるものである。」（第３頁第９行ないし第１７行）
　
　オ　「第１図において11は入力端子で，この入力端子11には前段の映像信号増幅回路（図示せず）から同期信号を含む複合映像信号が入力される。この複合映像信号は，カラーデコーダ12により輝度信号Ｙと色差信号Ｒ−Ｙ，Ｂ−Ｙに分離され，例えば４ビットのＡ／Ｄコンバータ13に入力される。」（第５頁第４行ないし第１０行）
　
　カ　「また，上記Ａ／Ｄコンバータ13には，基準電圧発生回路20から上限基準電圧ＶH及び下限基準電圧ＶLが供給される。更に，この基準電圧発生回路20には，例えば０〜２．８ＭＨｚのホワイトノイズを発生するノイズジェネレータ21が接続される。上記基準電圧発生回路20は，上記したように上限基準電圧ＶH及び下限基準電圧ＶLをＡ／Ｄコンバータ13に供給するが，上記ノイズジェネレータ21からのノイズが基準電圧ＶH，ＶLに重畳するようになっている。
　しかして，Ａ／Ｄコンバータ13は，タイミングジェネレータ15からのサンプリング信号φsに従って輝度信号Ｙ及び色差信号Ｒ−Ｙ，Ｂ−Ｙを４ビットのデジタル信号に変換して走査線補間装置16へ出力する。この走査線補間装置16は，間引きする水平走査線のタイミングで，その１水平走査線のデジタル化映像信号を記憶し，上記間引きする水平走査線の次の水平走査線のタイミングで，今回のタイミングのデジタル化映像信号と前回のタイミングで上記メモリに記憶されたデジタル化映像信号とを１サンプルデータ毎に交互に選択し，補間データとしてセグメントドライバ17へ出力する。そして，上記セグメントドライバ17及びコモンドライバ18により液晶表示パネル19が表示駆動される。」（第６頁第１６行ないし第７頁第２０行）
　
　キ　「この際，信号中に含まれる上記ノイズ成分により中間の階調が表現される。このようにして各階調間の中間階調が表現されることにより，偽輪郭の発生が防止される。」（第１１頁第６行ないし第９行）
　
　ク　第１図には，走査線補間装置16の入力としてＹ，Ｒ−Ｙ，Ｂ−Ｙが，出力としてＲ，Ｇ，Ｂが記載されており，当該走査線補間装置がＹ，Ｒ−Ｙ，Ｂ−ＹをＲ，Ｇ，Ｂに変換する機能を有していることは自明である。
　
　以上のことから，引用例２には，
　
「入力端子に入力される複合映像信号は，カラーデコーダにより輝度信号Ｙと色差信号Ｒ−Ｙ，Ｂ−Ｙに分離され，Ａ／Ｄコンバータへ送られ，このＡ／Ｄコンバータには，基準電圧発生回路から供給される上限基準電圧及び下限基準電圧が供給され，更に，この基準電圧発生回路には，ホワイトノイズを発生するノイズジェネレータが接続され，該ノイズジェネレータからのノイズが基準電圧に重畳するようになっており，前記輝度信号Ｙ及び色差信号Ｒ−Ｙ，Ｂ−Ｙを４ビットのデジタル信号に変換して走査線補間装置へ出力し，この走査線補間装置で前記輝度信号Ｙ及び色差信号Ｒ−Ｙ，Ｂ−Ｙのデジタル信号をＲＧＢのデジタル化映像信号に変換してセグメントドライバへ出力して，液晶表示パネルを表示駆動するものであって，信号中に含まれるノイズ成分により各階調間の中間階調が表現されることにより，量子化ビット数がその変化に対する階調がないために生ずる偽輪郭の発生が防止される」
　
ことが記載されていると認められる。
　
第３　対比
　本願発明と引用発明とを対比する。
　引用発明の「ランダムノイズデータ」は，本願発明の「雑音信号」に相当する。また，引用発明の「ランダムノイズ発生回路」は，前記ランダムノイズデータを発生するものであって，少なくとも１個は存在していることが明らかであるから，引用発明の「ランダムノイズデータ」を「発生」する「ランダムノイズ発生回路」は，本願発明の「雑音信号を発生させる少なくとも１個の雑音発生器」に相当する。
　
　引用発明の「表示データ」は，コンピュータから出力された当該表示装置に対する入力データであって，Ｄ0ないしＤ3の４ビットで表されるようなデジタル信号であり，少なくとも１つは存在していることが明らかであるから，本願発明の「１つ以上のディジタル入力像信号」に相当する。したがって，引用発明の「表示データＤ0，Ｄ1，Ｄ2，Ｄ3とランダムノイズ発生回路で発生したランダムノイズデータを」「加算する」「加算器」は，本願発明の「１つ以上のディジタル入力像信号に前記雑音信号を加える加算器」に相当する。
　
　以上を踏まえると，両者の一致点，相違点は以下のとおりである。
　
【一致点】
　表示装置であって，
　雑音信号を発生させる少なくとも１個の雑音発生器，
　１つ以上のディジタル入力像信号に前記雑音信号を加える加算器
　を備える表示装置。
　
【相違点】
　本願発明は，加算器により「クロミナンス信号」に雑音信号を加えることで「入力像信号内の色輪郭の生成を減少させる」ものであって，「加えられた雑音信号を有する入力像クロミナンス信号を複数のディジタル色要素信号に変換する色空間変換回路」を備えるものであるのに対し，引用発明は，表示データに雑音信号を加えることで，擬似輪郭の発生を抑えられるものであるものの，色に関する点については特定されていない点。
　
第４　当審の判断
　本願発明と引用例２に記載された事項とを対比する。
　本願発明の「クロミナンス信号」とは，発明の詳細な説明における「Ｃｒ」，「Ｃｂ」を表すものであって，それぞれＣｒ，Ｃｂが，Ｃｒ＝Ｒ−Ｙ，Ｃｂ＝Ｂ−Ｙで定義される色差信号であることは技術常識である。よって，引用例２に記載された「色差信号Ｒ−Ｙ，Ｂ−Ｙ」は，本願発明の「クロミナンス信号」に相当する。
　引用例２に記載された「ノイズ」は，本願発明の「雑音信号」に相当する。
　
　本願発明の「色輪郭」とは，発明の詳細な説明に【課題を解決するための手段】欄に「ディジタル色像は疑似色輪郭生成に最も影響される」と記載されているのみで，具体的に，どのようなものを表しているのか，特に，その前段までに記載されている「擬似輪郭」，「色移動」，「色の変化」のいずれを表しているのか，明確に特定することができない。しかし，いずれも段落【０００１】ないし【０００５】記載されているように，その原因は，ディジタル表示装置が，有限の量子化レベルを用いて表示するによるものと認められる。
　引用例２に記載された技術事項は，量子化ビット数がその変化に対する階調がないために生ずる偽輪郭（本願の「擬似輪郭」に相当する。）の発生を防止するために，ノイズ成分を色差信号Ｒ−Ｙ，Ｂ−Ｙに重畳させるものであるから，偽輪郭の他，同様の問題で色に関して発生する色移動や，色の変化についても，同様に防止する効果を奏していることは，自明な事項といえる。
　
　引用例２に記載された「ＲＧＢのデジタル化映像信号」は，本願発明の「複数のディジタル色要素信号」に相当する。よって，引用例２に記載された，信号中にノイズ成分を含む輝度信号Ｙ及び色差信号Ｒ−Ｙ，Ｂ−Ｙのデジタル信号をＲＧＢのデジタル化映像信号に変換する「走査線補間装置」は，本願発明の「加えられた雑音信号を有する入力像クロミナンス信号を複数のディジタル色要素信号に変換する色空間変換回路」に相当する。
　
　そして，引用発明と引用例２に記載された技術事項は，共に，擬似輪郭を抑えることを目的とするものであって，表示装置をカラー化することは技術の流れとして一般的なものであるから，引用発明に引用例２に記載された技術事項を適用し，引用発明における表示データを色差信号Ｒ−Ｙ，Ｂ−Ｙとして，これに加算器によりランダムノイズデータを加算することで色輪郭の発生を防止し，通常そのままでは表示装置で表示することのできない輝度信号Ｙ及び色差信号Ｒ−Ｙ，Ｂ−ＹをＲＧＢ信号に変換する走査線補間装置を設けることは，当業者が容易に想到し得たことである。
　
　なお，本願発明の奏する効果を検討してみても，引用発明及び引用例２に記載された技術事項から当然に予想される効果であって上記相違点によって新たな効果を奏するものではない。
　
第５　むすび
　以上のとおり，本願発明は，引用例１に記載された発明及び引用例２に記載された技術事項に基づいて当業者が容易に発明をすることができたものであるから，特許法第２９条第２項の規定により特許を受けることができない。
　したがって，本願は，他の請求項について検討するまでもなく拒絶すべきものである。
　よって，本件出願は，平成１８年８月１日付け拒絶理由通知書に記載した理由によって，拒絶をすべきものであるとした査定の判断に誤りはないから，結論のとおり審決する。